(57)【要約】【課題】  外的力に対して外れにくいクラスプを提供する。【解決手段】  係止部材を係止するための係止部を押圧方向に対して鉛直方向に有する押しボタンと、前記押しボタンの直下に設けられ前記押しボタンを上方に付勢するバネとから構成された着脱機構を係止するための着脱機構用の開口部と、前記係止部に係脱自在に挿入される係止部を挿入するための挿入用の開口部と、を有する中空状の基体と、前記着脱機構用の開口部に設けられた係止部を有する押しボタンとバネ部材とから構成された係止部と、から構成された装身具用クラスプは、前記基体の着脱機構用の開口部の望む位置には、前記バネ部材を固定するための溝部を有している。【選択図】      図９
2007160083.tif 000002
【特許請求の範囲】
【請求項１】
係止部材を係止するための係止部を押圧方向に対して鉛直方向に有する押しボタンと、前記押しボタンの直下に設けられ前記押しボタンを上方に付勢するバネとから構成された着脱機構を係止するための着脱機構用の開口部と、前記係止部に係脱自在に挿入される係止部を挿入するための挿入用の開口部と、
を有する中空状の基体と、
前記着脱機構用の開口部に設けられた係止部を有する押しボタンとバネ部材とから構成された係止部と、
から構成された装身具用クラスプであって、
前記係止部材が挿入された際に、前記係止部材と係止部との係合に加えて、前記係止部の先端側と、前記基体の開口部の内面とで、前記係止部材を挿み込んで固定することを特徴とする、装身具用クラスプ。
【請求項２】
係止部材を係止するための係止部を押圧方向に対して鉛直方向に有する押しボタンと、前記押しボタンの直下に設けられ前記押しボタンを上方に付勢するバネとから構成された着脱機構を係止するための着脱機構用の開口部と、前記係止部に係脱自在に挿入される係止部を挿入するための挿入用の開口部と、
を有する中空状の基体と、
前記着脱機構用の開口部に設けられた係止部を有する押しボタンとバネ部材とから構成された係止部と、
から構成された装身具用クラスプであって、
前記基体の着脱機構用の開口部の望む位置には、前記バネ部材を固定するための溝部を有していることを特徴とする装身具用クラスプ。
【請求項３】
前記基体の前記着脱機構と平行な断面は、前記係止部により前記基体の中空部へ案内する長方形と、前記係止部を係止した際に係止関係を強固にする前記長方形よりも小さい長方形とから構成された凸状の断面を有していることを特徴とする請求項１または請求項２に記載の装身具用クラスプ。
【請求項４】
前記係止部が正面視すると、所定のアールと最大の厚みである第１の厚みを有する突出部と、前記突出部の第１の部分の第１の最大の厚みを有する部分に連続して設けられた前記第１の厚みより短い第２の厚みを有する長方形部分とから構成されており、前記係止部は、前記第１の厚みに相当する厚みを有する第１の段と、前記着脱用開口部の厚みに相当する第２の段の二段構造とから構成された押しボタンと一体形成された係止部であることを特徴とする請求項１または請求項２に記載の装身具用クラスプ。
【請求項５】
前記着脱機構用開口部と反対側の表面に装飾体を供えたことを特徴とする請求項１から請求項４のいずれか１項に記載の装身具用クラスプ。
【請求項６】
前記第１の開口部の反対端部に係止部を備えたことを特徴とする請求項１から請求項５のいずれか１項に記載の装身具用クラスプ。
【請求項７】
前記着脱機構用の開口部側平面は内側に湾曲していることを特徴とする請求項６に記載のクラスプ。
【請求項８】
前記クラスプは、前記基体の先端部に回動自在に軸支され、後端部に係止部を構成する爪部を備えたアームを有し、前記爪部を前記第１の開口部に挿入して前記係止部に係止することによって環を形成することを特徴とする請求項１または請求項２に記載の装身具用クラスプ。
【請求項９】
請求項１から請求項８のいずれか１項に記載の装身具用のクラスプを備えた装身具。
【発明の詳細な説明】
【技術分野】
【０００１】
本発明は、クラスプに関する。より詳しく述べると、ネックレス、ブレスレット、アンクレット、ペンダント等の装身具に使用され、着脱が容易なクラスプに関する。
【背景技術】
【０００２】
従来のネックレス等に使用されるクラスプ（留め金具）は、弾性体であるコイルバネを利用した係止手段を用いたものが知られている。
図２３に基づいて、従来技術のクラスプを説明する。図２３は、本願出願人が先に開示した従来のクラスプを示す図面であり、（ａ）は斜視図であり、（ｂ）は、クラスプによる接続部の裏側を拡大した拡大斜視図であり、（ｃ）は、留め金具を拡大した拡大断面図であり、そして（ｄ）は、（ｃ）に示すＦ−Ｆ線の断面図である。
【０００３】
図２３（ｂ）に示すように、留め金具２０は、ケース本体１２と係止ピン１３とから構成され、多数の珠玉を綴り通した連珠玉に糸１４を通し、その糸１４には係止ピン１３が接続されている。係止ピン１３の一端には、糸１４が接続され、そして多端には係止ピン１３が接続されている。
この係止ピン１３は、丸棒状に形成され。その先方には係止溝１３ａが形成されている。また、この係止ピン１３の先端部は受け入れ部材１５に挿入しやすいように球面形状に形成されている。
【０００４】
また、図２３（ｃ）に示す通り、このクラスプのケース本体１２は、受け入れ部材１５と、係止部材１６と押しボタン１６ｂと、係止ピン１３と、裏ケース１８とから構成されている。
ケース本体１２は、各部材を収納するためのケースであり。図２３（ａ）に示す通り、表面に装飾体が形成されている。また。ケース本体１２の一側面には取付環１２ａが設けられており、他側面には、係止ピン１３の挿入を可能にする挿入孔１２ｂが形成されている。さらに、上面には押しボタン１６ｂが挿入できるようにその形状に合わせて穴１２ｃが設けられている。
【０００５】
受け入れ部材１５は、係止ピン１３を導入案内する筒状のガイドである。受け入れ部材１５の下側には係止部材１６の係止部１６ｃが受け入れ部材１５内部に突出するように切欠１５ｂが形成されている。
係止部材１６は、押しボタン１６ｂと略Ｕ字形板とが一体に成形され、係止ピン１３の係止溝１３ａに係脱する。そして、押しボタン１６ｂはコイルバネ１７を収納できるように中空状に形成されており、係止部材１６は、上下動する。
コイルバネ１７は、押しボタン１６ｂの中に収納されており、押しボタン１６ｂを指先で押圧することにより、コイルバネ１７はたわみ、係止部材１６を下方に移動させて、係止ピン１３の係止溝１３ａから離脱、または、係止ピン１３との係合を行う。
裏ケース１８は、ケース本体１２を蓋するもので、ケース本体１２と嵌合させる。この裏ケース１８には、押しボタン１６ｂおよび受け入れ部材１５の干渉を防ぐために切欠が設けられている。
【０００６】
その結果、通常はコイルバネ１７の弾性力で係止部材１６を押し上げて、その係止部１６ｃが受け入れ部材１５の切欠１５ｂに嵌入した状態で規制され。受け入れ無事１５内に突出した状態にある。また、係止部材１６に押圧（押し下げ）力が作用すると、コイルバネ１７の付勢力に抗して略Ｕ字形板１６ａが下がり、係止部１６ｃが受け入れ部材１５の切欠１５ｂから下降し、係止ピン１３の係止溝１３ａから離脱する（例えば、特許文献１参照）。
【０００７】
また、例えば特許文献２に記載の通り、連珠玉と留め金であるクラスプを装飾体としたネックレスも知られている。このようなネックレスは、複数の珠玉に糸を通して連珠玉と、一端側に受け止め具が止着された糸と、複数個のスペーサと、装飾体を施したクラスプと、クラスプの裏面に設けられ、掛け留め具部およびフック部が形成された止め金具とから構成されている。
【特許文献１】特開平９−１８２６０９号公報（図１〜図３等）
【特許文献２】特開２００５−２９６５２３号公報（図３、図４等）
【発明の開示】
【発明が解決しようとする課題】
【０００８】
しかしながら、特許文献１に記載のクラスプは、構造が複雑で、部品点数も多く、組み立てに工数を要する。特に、小型化の要求される用途においては、部品の精度が要求される。
一方、特許文献２に記載のフックタイプのクラスプは、クラスプ自体が小さいため、両手を用いた装着は容易ではない。
さらに、従来技術のクラスプは装着時外部からの力が加わると思わぬところでクラスプが外れてしまう場合がある。従って、外的力に対して外れにくいクラスプに対する要求がある。
【０００９】
したがって、本発明の課題は、外的力に対して外れにくいクラスプを提供することである。本発明の別の課題は、構造が簡単で着脱が容易なクラスプを提供することである。
【課題を解決するための手段】
【００１０】
上記課題を解決する本発明は、次の構成要件から構成される。
〔１〕  係止部材を係止するための係止部を押圧方向に対して鉛直方向に有する押しボタンと、前記押しボタンの直下に設けられ前記押しボタンを上方に付勢するバネとから構成された着脱機構を係止するための着脱機構用の開口部と、前記係止部に係脱自在に挿入される係止部を挿入するための挿入用の開口部と、
を有する中空状の基体と、
前記着脱機構用の開口部に設けられた係止部を有する押しボタンとバネ部材とから構成された係止部と、
から構成された装身具用クラスプであって、
前記係止部材が挿入された際に、前記係止部材と係止部との係合に加えて、前記係止部の先端側と、前記基体の開口部の内面とで、前記係止部材を挿み込んで固定することを特徴とする、装身具用クラスプ。
〔２〕  係止部材を係止するための係止部を押圧方向に対して鉛直方向に有する押しボタンと、前記押しボタンの直下に設けられ前記押しボタンを上方に付勢するバネとから構成された着脱機構を係止するための着脱機構用の開口部と、前記係止部に係脱自在に挿入される係止部を挿入するための挿入用の開口部と、
を有する中空状の基体と、
前記着脱機構用の開口部に設けられた係止部を有する押しボタンとバネ部材とから構成された係止部と、
から構成された装身具用クラスプであって、
前記基体の着脱機構用の開口部の望む位置には、前記バネ部材を固定するための溝部を有していることを特徴とする装身具用クラスプ。
〔３〕  前記基体の前記着脱機構と平行な断面は、前記係止部により前記基体の中空部へ案内する長方形と、前記係止部を係止した際に係止関係を強固にする前記長方形よりも小さい長方形とから構成された凸状の断面を有していることを特徴とする〔１〕または〔２〕に記載の装身具用クラスプ。
〔４〕  前記係止部が正面視すると、所定のアールと最大の厚みである第１の厚みを有する突出部と、前記突出部の第１の部分の第１の最大の厚みを有する部分に連続して設けられた前記第１の厚みより短い第２の厚みを有する長方形部分とから構成されており、前記係止部は、前記第１の厚みに相当する厚みを有する第１の段と、前記着脱用開口部の厚みに相当する第２の段の二段構造とから構成された押しボタンと一体形成された係止部であることを特徴とする〔１〕または〔２〕に記載の装身具用クラスプ。
〔５〕  前記着脱機構用開口部と反対側の表面に装飾体を供えたことを特徴とする〔１〕から〔４〕のいずれか１項に記載の装身具用クラスプ。
〔６〕  前記第１の開口部の反対端部に係止部を備えたことを特徴とする１〕から〔５〕のいずれか１項に記載の装身具用クラスプ。
〔７〕  前記着脱機構用の開口部側平面は内側に湾曲していることを特徴とする〔６〕に記載のクラスプ。
〔８〕  前記クラスプは、前記基体の先端部に回動自在に軸支され、後端部に係止部を構成する爪部を備えたアームを有し、前記爪部を前記第１の開口部に挿入して前記係止部に係止することによって環を形成することを特徴とする〔１〕または〔２〕に記載の装身具用クラスプ。
〔９〕  〔１〕から〔８〕のいずれか１項に記載の装身具用のクラスプを備えた装身具。
【発明の効果】
【００１１】
本発明によると、前記係止部の先端側と、前記基体の開口部の内面とで、前記係止部材が挿入された際に、前記係止部材を挿み込んで固定するので、クラスプを係止した後、係止部と係止部材の係止関係に加えてより強固に係止されており、クラスプが外れにくくなる。また、部品点数が少なく着脱が容易な装身具用クラスプが提供される。本発明の装身具用のクラスプは、特に小さいクラスプ、例えば従来のホック式のクラスプに代わるクラスプが提供される。
【発明を実施するための最良の形態】
【００１２】
以下、本発明の実施の形態を添付図面に基づいて説明する。
図１は、クラスプを使用した装身具の例を示す図面であり、（ａ）はネックレスを装着した様子を示す斜視図であり、（ｂ）はペンダントを装着した様子を示す斜視図である。
図１（ａ）に示す通り、本発明のクラスプ１０は、ネックレス用のクラスプとして使用することができ、図１（ｂ）に示す通り、本発明のクラスプ１０はペンダント用のクラスプとしても使用することができる。同様にして、本発明のクラスプは、アンクレット等の装飾具の接続にも適用可能である。
【００１３】
図２は、図１に示す本発明のクラスプの要部拡大図であり、（ａ）は図１（ａ）に示すＡ部の平面図であり、（ｂ）は図１（ａ）に示すＡ部の正面図である。
図２（ａ）に示す通り、ネックレス２１は、多数の珠玉として真珠６が糸７によって連結されて連珠玉を構成している。その糸７の一端に本発明のクラスプ１０が接続されている。クラスプ１０は、クラスプ本体である基体１には、押しボタン２と、バネ部材であるコイルバネ３（図３参照）と、カバーと係止ピン５とから構成されている。なお、バネ部材は、コイルバネに限定されるものではなく、弾性部材等の同様の作用効果を有するものであれば適用可能である。
【００１４】
図３は、図２（ａ）に示す正面図であり、ａ）は押しボタンの係止部と係止部材との係合状態を示す状態図、（ｂ）は押しボタンが押圧された状態を示す状態図、そして（ｃ）は係止部材が係止部から離間した状態を示す状態図である。
図３に示す通り、基体１は、長手方向の円筒面に開口部１ａが設けられ、この開口部１ａに押しボタン２が挿入され突設されている、この筒状の一方の左端面には、第１開口部１ｂが設けられ、とば口は雌ネジ１ｅ（図４（ａ）参照）が加工され、その奥は長穴の形状または四角形状の穴になっている。他方の右端面の第２開口部１ｃは、係止部材である係止ピン５のガイドとなる円形穴が形成されている。さらに、基体１の開口部１ａから望む基体の内側面にコイルバネ３の位置を決める窪み１ｄが設けられている。
この窪み１ｄは、コイルバネ３の位置を決めるだけでなく、コイルバネ３が、所定方向から逸脱した動きを防止し、さらには押しボタンから離脱するのを防止する機能を有している。
【００１５】
カバー４は、基体１の第１開口部１ｂを閉鎖するカバーである。カバー４は、円錐状に形成されており、頂部には小孔が形成され、真珠６をつないだ糸７が接続されている。カバー４の基部には、円柱部が形成され、その円柱部には雄ネジが形成されている。
この雄ネジと雌ネジ１ｅとが螺合されて、カバー４が基体に接合される。
なお、この雄ネジと雌螺子１ｅは、この雄ネジを接合外面部とし、雌ネジ１ｅを接合内面部として、互いにほぼ同一寸法の外径と内径とを有する面から構成して、接着剤などを貼付して嵌合させてもよく、あるいは圧入して固定してもよい。この場合には、例えばｈ７、ｐ６の嵌め合い精度に仕上げて、圧入して固定する。
さらに、カバー４の頂部に備えられた小孔と、真珠６をつないだ糸７との間に丸環などを介在させて、さらにフレキシブル性を向上させることもできる。
係止ピン５は、前記したカバー４と同形状の円錐状に形成されており、基体１の他方の第２開口部１ｃを閉鎖するカバーのように挿入される。また、頂部には小孔が形成され、真珠６をつないだもう一端の糸７が接続されている。係止ピン５のピン部は、細い棒状に形成され、先端がやはり円錐状に形成されており、その近傍に係合溝５ａが形成されている。
【００１６】
図４（ａ）は、図３（ａ）に示すＢ−Ｂ線の断面図である。
図４（ａ）に示す通り、基体１のには雌ネジ１ｅが形成され、その奥には長穴形状の第１開口部１ｂが形成されている。この長穴形状の代わりに、四角形状であってもよい。
図４（ｂ）は、図３（ａ）に示すＣ−Ｃ線の断面図である。
図４の（ｂ）に示すように、押ボタン２に包囲されてコイルバネ３が装着されている。
コイルバネ３のもう一端は、基体１の開口部１ａから臨む基体１の内側面に設けられた窪
み１ｄに位置決めされている。
コイルバネ３は、基体１の形状に応じた形状を有しており、例えば直径が１．５ｍｍほどのバネであり、押ボタン２の収容穴２ａと基体１の窪み１ｄに位置決めされ、絶えず、押ボタン２が外に飛び出す方向へ付勢している。
【００１７】
図４（ｃ）は、図３（ａ）に示すＤ−Ｄ線の断面図である。
図４（ｃ）に示すように、押ボタン２と一体の係止部２ｃに係合溝５ａが嵌入している様子が分かる。
図４（ｄ）は、図３の（ａ）に示すＥ−Ｅ線の断面図である。
図４の（ｄ）に示すように、基体１の他端の第２開口部１ｃの形状は丸穴である。
【００１８】
図５は、図３（ａ）に示す押ボタンの形状を示し（ａ）は左斜視図、（ｂ）は右斜視
図である。
図５に示すように、押ボタン２には、その背面にコイルバネ３（図４参照）を収容する収容穴２ａを設け、さらに、押ボタン２の側面２ｂから一片の係止部２ｃを延設し、その延設した係止部２ｃには係止ピン５（図３参照）と係合するための係合穴２ｄを設けている。さらに、飛び出しを規制する段差部２ｅ、２ｅが設けられており、基体１の開口部１ａ（図１参照）に挿入されている。
【００１９】
図６は、押ボタン２の他の形態を示す斜視図である。図６に示すように、押ボタン２’の側面（図５（ａ）に示す側面２ｂに相当する位置）から三角形状に突出した先端に係止部２ｃ’が形成され、その係止部２ｃ’には係止ピン５（図３参照）と係合するための係合穴２ｄ’を設けている。押ボタン２と押ボタン２’の違いは、この係止部２ｃ’と係合穴２ｄ’に伴なう箇所であり、このような形状にしても良い。以下、押ボタン２を用いて説明する。
【００２０】
ここで、クラスプ１０の着脱動作について説明する。
図１（ａ）に示すように、装着の動作は、首に回してから、図３（ｃ）に示すように、基体１に係止ピン５を近づける。
図３（ｂ）に示すように、押ボタン２の第２開口部１ｃに係止ピン５のピン部を挿入すると、押ボタン２の係止部２ｃはコイルバネ３の付勢力に抗して下方向へ移動し、押ボタン２の係止部２ｃに設けられた係合穴２ｄに係止ピン５の係合溝５ａが係合する。
そして、図３（ａ）に示すように、係止ピン５の係合溝５ａには、押ボタン２の係止部２ｃが嵌入して固定され、環状体を形成するとともに、ネックレス２１（図１（ａ）参照）が完成する。
【００２１】
離脱する場合は、この反対の動作となる。
図３（ａ）に示すように、基体１内の押ボタン２の係止部２ｃには係止ピン５の係合溝５ａが嵌入して固定され、環状体のネックレス２１になっている。
図３（ｂ）に示すように、押ボタン２が指先で押圧されると、押ボタン２の係止部２ｃはコイルバネ３の付勢力に抗して下方向今移動し、係止ピン５の係合溝５ａから外れ、係合が解除される。そして、図３（ｃ）に示すように、クラスプ１０の基体１から係止ピン５が抜き取られる。つまり、係止ピン５が係止部２ｃから離間し、被環状体の状態になる。
【００２２】
つぎに、本発明のクラスプ１０の組立方法について説明する。図３に示すように、
１）第１工程は、押ボタン２と、この背面に設けられた収容穴２ａにコイルバネ３を挿通してセットする。
２）第２工程は、押ボタン２の中にコイルバネ３を押し込んだ状態で、基体１の第１開口部１ｂから挿入し、コイルバネ３の一端を窪み１ｄに落とし込み、押ボタン２の内側から付勢して開口部１ａを押ボタン２で覆う。
３）第３工程は、カバー４をねじ込み、閉鎖する。
このように、従来のクラスプの組立方法よりも比較にならないほど簡単であるため、より短い組立工数で組み付けることができる。
【００２３】
〈第２の実施形態〉
次に、第２の実施形態に係るクラスプについて、図面を参照して説明する。第２の実施形態が、前記した第１の実施形態と異なる点は、第１の実施形態では基体１とカバー４とが別体であり、係止ピン５が摺動する第２開口部を基体１に設けていたが、第２の実施形態ではカバー４を基体１に一体として、係止ピン５が摺動する第２開口部を基体１と別体とした点である。なお、第１の実施形態と重複する部分は同符号を付して、その説明は省略する。
図７は、図３（ａ）に示した第１の実施形態に係るクラスプ１０の正面図に相当する第２の実施形態に係るクラスプの縦断面図であり、押ボタンの係止部と係止ピンとの係合状態を示している。なお、第１の実施形態と重複する部分の説明は省略する。
図７に示すように、基体１は、長手方向の円筒面に開口部１ａが設けられ、この開口部１ａ’押ボタン２が挿入され、突設されている。この基体１’には、第３開口部１’が設けられ、この第３開口部１ｃ’は長穴形状または四角形状の穴になっている。
この基体１’の一方の左端はカバーされており、基体１’の第３開口部１ｃを閉鎖する閉鎖部１ｂ’を形成している。閉鎖部１ｂ’は、円錐状に形成されており、頂部には小孔が形成され、真珠６をつないだ糸７が接続されている。
【００２４】
この第３開口部１ｃ’の他方である右端には、円筒状の第５開口部１ｆが形成されており、内面に雌ネジ（接合内面部）１ｅ’が形成されている。
【００２５】
基体１’の右端には蓋部材８が設けられており、基体１’の右端を閉鎖している。この蓋部材８は、円柱状に形成されており、軸方向の中心には第４開口部８ａ溺形成され、外周には雄ネジ（接合外面部）８ｂが形成されている。
この雄ネジ８ｂと前記雌ネジ１ｅ’が螺合して、基体１’の右端が閉鎖されている。
第４開口部８ａには、係止ピン５のガイドとなる円形穴が形成されている。
この雄ネジ（接合外面部）８ｂと前記雌ネジ（接合内面部）１ｅ’は、互いにほぼ同一寸法の外径と内径とを有する面から構成されて、接着剤などを貼付して嵌合させるようにしても構わないし、互いの外径と内径とを圧入、例えば、ｈ７、Ｐ６の嵌め合い精度に仕上げて、圧入して固定するようにしても構わない。
【００２６】
係止ピン５’は、円柱状に形成されており、頂部には小孔が形成され、真珠６をつないだもう一端の糸７が接続されている。すなわち、細い棒状に形成されている係止ピン５’の先端には、係合溝５ａ’が形成されている。
これにより、押ボタン２の係止部２ｃは係止ピン５’の係合溝５ａ’と係合する。以下、クラスプ１０’の構成と動作の詳細は、第１の実施形態に係るクラスプ１０と同様であり、省略する。
【００２７】
（最良の実施形態）
つぎに、本発明の最良の実施形態を、図８〜図１０に基づいて説明する。
図８は、本発明のクラスプの最良の形態を示す斜視図であり、（ａ）は、全体斜視図であり、（ｂ）は、押しボタンに一体形成された係止部のうち基体からはみ出した部分を切断した斜視図であり、図９（ａ）〜（ｅ）は、図８に示すクラスプの装着状態を示す図面であり、図１０は、図８に示すクラスプの応用例を示す図面である。
なお、以下の最良の実施形態では、ブレスレット等用の板状のクラスプを示すが、前記した実施形態と同様にネックレス用等の棒状のクラスプであってもよい。
【００２８】
図８および図９（ａ）〜（ｅ）に示す通り、本発明のクラスプ１０における基体１には、着脱機構を構成する係止部２ａを有する押しボタン２を挿入するための着脱機構用開口部（図１〜図７における１ａに相当）を有しており、そして開口部に臨む底部には窪み１ｄが形成されている。この窪み１ｅは、コイルバネ３の位置を決めるだけでなく、コイルバネ３が、所定方向から逸脱した動きを防止し、さらには押しボタン２から離脱するのを防止する機能を有している。
また、図１〜図７に示す第１開口部の断面形状は、係止部材４を挿入する幅広の挿入口と、前記挿入口よりも小さい断面形状を有する部分とから構成される凸形状を有している。この前記挿入口よりも小さい断面形状を有する部分の両側は、係止部材４を挿入した際に当接する当接部１ｇが形成されている。
【００２９】
一方、係止部２ａを有する押しボタン２は、コイルバネを収納するための収納部と、基体１の第１開口部１ａの外側に配置される開口部を有する係止部材挿入部とを有している。この係止部２ａの開口部は、基体１の当接部１ｇの下側の所定面積部分と、幅広の第１開口部１ａの下側の所定面積部分を覆うような形状を有している。
【００３０】
また、係止部材４は、先が尖った先端部と、係止部２ａの外枠部分に係止するような形状を有する係止溝を有している。
【００３１】
つぎに、このような構成を有する本発明のクラスプ１の装着動作を図９に基づいて説明する。
まず、図９（ａ）に示す通り、係止部材４を第１開口部に近づける。そして、図９（ｂ）に示す通り、当接部材３の先端部分は、第１開口部に案内されながら左矢印方向に挿入されていく。ついで、図９（ｃ）に示す通り、先端部分が当接部１ｇに当接すると、当接部に下側の矢印の方向に力がかかりながら挿入されることとなる。そして、係止部材の係止溝部まで挿入されると、コイルバネ３の上側への付勢力により係止部３ａは上側への力が加わり、係止部材は係止部２ａに係止される。
この際に係止部材４は、係止部と、基体底面と当接部１ｇとにより係止されているので外部から押しボタンを押すことがない限り基体に確実に係止されることとなる。
なお、このクラスプを外す場合には、図９（ａ）〜（ｅ）に示す工程の逆の手順をふむことによって容易にクラスプを外すことが可能となる。
【００３２】
つぎに、このクラスプ１０を用いた応用例について、図１０に基づいて説明する。
図１０に示すクラスプは、クラスプ１０同士を係止してブレスレットを構成する例である。
この際に、クラスプ１０は、一方の端面に係止部材を挿入し、係止するための第１開口部を有しており、そして他方の端面には係止部材を備えた構成を有している。
そして、内側に押しボタン（着脱機構）を挿入する開口部を有しており、また、ブレスレットを構成するために押しボタン側の面が内側に湾曲した構成を有している。
なお、所望に応じて押しボタン（着脱機構）を挿入する面と反対側の表面に図示しない装飾物を固着してもよい。
【００３３】
以上、好ましい実施の形態について説明したが、本発明は前記実施の形態に限定されるものではなく、本発明の要旨を逸脱することのない範囲内において適宜の変更が可能なものである。例えば、
１．被環状体は、連珠玉に限らず、その他の被環状体材であってもよい。
２．ネックレスを中心にクラスプの使用方法について説明したが、このほかの装身具、例えば、ブレスレット、アンクレット、ペンダント等の装身具のであっても同様であり、その他の装身具に利用しても構わない。
３．クラスプ１０の基体１の形状は、ここでは円柱形の筒状としたが、四角柱、六角柱の筒状であってよい。また、球体や楕円球等の異形であっても構わない。
４．基体１と押ボタン２の内周面との間に設けたバネは、コイルバネとしたが、これ以外のバネであっても構わない。
５，第１開口部と第２開口部を左右反転させても構わない。
６．カバー４の形状は、円錐状としたがそれに限定するものではなく、円柱状またはその他の形状であっても構わない。
７．第１の実施形態では係止ピンを段付きとしたが、ストレート形状でも構わない。
また、第２の実施形態の係止ピンをストレート形状としたが、段付き形状でも構わない。
【００３４】
さらに、本発明のクラスプは、下記態様に関する。
〔１〕  長手方向の面に設けられた開口部（１ａ）と、一方の端面の第１開口部（１ｂ）と、他方の端面の第２開口部（１ｃ）とを有する筒状に形成された基体（１）と、前記開口部（１ａ）に対して係止された押ボタン（２）と、前記押ボタン（２）を外方向へ付勢するバネ部材（３）と、前記押ボタン（２）の前記第２開口部（１ｃ）側の側面（２ｂ）に備えられた係止部（２ｃ）と、前記第２開口部（１ｃ）に摺動可能に係合され、かつ、前記係止部（２ｃ）に係脱可能に構成された係止ピン（５）とを備えたことを特徴とするクラスプ。
【００３５】
〔２〕  〔１〕に記載のクラスプ（１０’）であって、長手方向の面に設けられた開口部（１ａ’）と、一方の端面を閉鎖する閉鎖部（１ｂ’）と、他方の端面を開放する第３開口部（１ｃ’）と、前記第３開口部（１ｃ’）の開放面側の内周面に形成された接合内面部（１ｅ’）とを有する筒状に形成された基体（１’）と、前記開口部（１ａ’）に対して係止された押ボタン（２）と、前記押ボタン（２）を外方向へ付勢するバネ部材（３）と、前記押ボタン（２）の前記第３開口部（１ｃ’）の開放面側の側面（２ｂ）に備えられた係止部（２ｃ）と、円柱状に形成され、前記接合内面部（１ｅ’）と接合する接合外面部（８ｂ’）が外周面に形成された蓋部材（８）と、前記蓋部材（８）の軸方向の中心に形成された第４開口部（８ａ）と、前記蓋部材（８）の外周面に形成された前記接合外面部（８ｂ）と、前記第４開口部（８ａ）に摺動可能に係合され、かっ、前記係止部（２ｃ）に係脱可能に構成された係止ピン（５’）とを備えたことを特徴とする。
【００３６】
〔３〕  〔１〕に記載のクラスプ（１０）であって、前記第１開口部（１ｂ）は長穴形状または四角形状の穴であることを特徴とする。
〔４〕  〔２〕に記載のクラスプ（１０’）であって、前記第３開口部（１ｃ’）は長穴形状または四角形状の穴であることを特徴とする。
〔５〕  〔１〕または〔２〕に記載のクラスプ（１０，１０’）であって、前記押ボタン（２）には、前記バネ部材（３）を前記押ボタン（２）の背面に収容する収容穴（２ａ）と、前記係止部（２ｃ）を形成する係合穴（２ｄ）とを備えたことを特徴とする。
【００３７】
〔６〕  〔１〕または〔２〕に記載のクラスプ（１０，１０’）であって、前記開口部（１ａ，１ａ’）から臨む前記基体（１，１’）の内側面に前記バネ部材（３）の座面となる窪み（１ｄ，１ｄ’）を設けたことを特徴とする。
〔７〕  〔１〕または〔２〕に記載のクラスプ（１０，１０’）であって、前記係止ピン（５，５’）の先端の係合溝（５ａ，５ａ’）は、前記係止ピン（５，５’）の円周に沿って形成され、前記係合溝（５ａ，５ａ’）に前記係止部（２ｃ）を係合させることを特徴とする。
【００３８】
〔８〕  クラスプ（１０）の組立方法の発明であって、長手方向の面に設けられた開口部（１ａ）と、一方の端面の第１開口部（１ｂ）と、他方の端面の第２開口部（１ｃ）とを有する筒状に形成された基体（１）と、前記開口部（１ａ）に対して係止された押ボタン（２）と、前記押ボタン（２）を外方向へ付勢するバネ部材（３）と、前記押ボタン（２）の前記第２開口部（１ｃ）側の側面（２ｂ）に備えられた係止部（２ｃ）と、前記第２開口部（１ｃ）に摺動可能に係合され、かつ、前記係止部（２ｃ）に係脱可能に構成された係止ピン（５）と、前記第１開口部（１ｂ）に形成された長穴形状または四角形状の穴と、前記押ボタン（２）において、前記バネ部材（３）を前記押ボタン（２）の背面に収容する収容穴（２ａ）と、前記係止部（２ｃ）を形成する係合穴（２ｄ）と、前記開口部（１ａ）から臨む前記基体（１）の内側面に前記バネ部材（３）の座面となる窪み（１ｄ）とを備え、前記係止ピン（５）の先端の係合溝（５ａ）が、前記係止ピン（５）の円周に沿って形成され、前記係合溝（５ａ）に前記係止部（２ｃ）を係合させるクラスプ（１０）の組立方法は、前記押ボタン（２）と、この背面に設けられた前記収容穴（２ａ）に前記バネ部材（３）を挿通してセットする第１工程と、前記押ボタン（２）の中に前記バネ部材（３）を押し込んだ状態で、前記第１開口部（１ａ）から挿入し、前記バネ部材（３）の一端を窪み（１ｄ）に落とし込み、前記押ボタン（２）の内側から付勢して前記開口部（１ａ）を前記押ボタン（２）で覆う第２工程とを含むことを特徴とする。
【００３９】
〔９〕  クラスプ（１０’）の組立方法の発明であって、長手方向の面に設けられた開口部（１ａ’）と、一方の端面を閉鎖する閉鎖部（１ｂ，）と、他方の端面を開放する第３開口部（１ｃ’）と、前記第３開口部（１ｃ，）の開放面側の内周面に形成された接合内面部（１ｅ’）とを有する筒状に形成された基体（１’）と、前記開口部（１ａ’）に対して係止された押ボタン（２）と、前記押ボタン（２）を外方向へ付勢するバネ部材（３）と、前記押ボタン（２）の前記第３開口部（１ｃ’）の開放面側の側面（２ｂ）に備えられた係止部（２ｃ）と、円柱状に形成され、前記接合内面部（１ｅ’）と接合する接合外面部（８ｂ）が円周面に形成された蓋部材（８）と、前記蓋部材（８）の軸方向の中心に形成された第４開口部（８ａ）と、前記蓋部材（８）の外周面に形成された前記接合外面部（８ｂ）と、前記第４開口部（８ａ）に摺動可能に係合され、かっ、前記係止部（２ｃ）に係脱可能に構成された係止ピン（５，）と、前記第３開口部（１ｃ’）に形成された長穴形状または四角形状の穴と、前記押ボタン（２）において、前記バネ部材（３）を前記押ボタン（２）の背面に収容する収容穴（２ａ）と、前記係止部（２ｃ）を形成する係合穴（２ｄ）と、前記開口部（１ａ’）から臨む前記基体（１’）の内側面に前記バネ部材（３）の座面となる窪み（１ｄ’）とを備え、前記係止ピン（５’）の先端の係合が、前記係止ピン（５’）の円周に沿って形成され、前記係合溝（５ａ’）溝（５ａに前記係止部（２ｃ）を係合させるクラスプ（１０，）の組立方法は、前記押ボタン（２）と、この背面に設けられた前記収容穴（２ａ）に前記バネ部材（３）を挿通してセットする第１’工程と、前記第３開口部（１ｃ’）から、前記押ボタン（２）の中に前記バネ部材（３）を押し込んだ状態で挿入し、前記バネ部材（３）の一端を窪み（１ｄ’）に落とし込み、前記押ボタン（２）の内側から付勢して前記開口部（１ａ’）を前記押ボタン（２）で覆う第２’工程とを含むことを特徴とする。
【００４０】
〔１〕に係る発明によれば、長手方向の面に設けられた開口部と、一方の端面の第１開口部と、他方の端面の第２開口部とを有する筒状に形成された基体と、開口部に対して係止された押ボタンと、押ボタンを外方向へ付勢するバネ部材と、押ボタンの第２開口部側の側面に備えられた係止部と、第２開口部から押ボタンの方向に摺動可能に係合され、かっ、係止部に係脱可能に構成された係止ピンとを備えたことにより、クラスプを構成する部品点数を２点減らして４点で構成すると共に、各部品の形状を簡素にしたため、熟練者以外の人にもクラスプの組み立てが可能なクラスプを提供することができる。
これにより、従来の留め金具は、筒状の受け入れ部材の外側に押ボタンを設けた構成であったが、この発明により、筒状の基体の中に押ボタンを設けたため、従来の６点構成（係止ピン含む）のうち本体カバーと裏カバーを不要にすることができる。
【００４１】
〔２〕によれば、長手方向の面に設けられた開口部と、一方の端面を閉鎖する閉鎖部と、他方の端面を開放する第３開口部と、第３開口部の開放面側の内周面に形成された接合内面部とを有する筒状に形成された基体と、開口部に対して係止された押ボタンと、押ボタンを外方向へ付勢するバネ部材と、押ボタンの第３開口部の開放面側の側面に備えられた係止部と、円柱状に形成され、接合内面部と接合する接合外面部が外周面に形成された蓋部材と、蓋部材の軸方向の中心に形成された第４開口部と、蓋部材の外周面に形成された接合外面部と、第４開口部の開放面側から押ボタンの方向に摺動可能に係合され、かっ、係止部に係脱可能に構成された係止ピンとを備えたことにより、クラスプを構成する部品点数を２点減らして４点で構成すると共に、各部品の形状を簡素にしたため、熟練者以外の人にもクラスプの組み立てが可能なクラスプを提供することができる。
これにより、従来の留め金具は、筒状の受け入れ部材の外側に押ボタンを設けた構成であったカミ、この発明により、筒状の基体の中に押ボタンを設けたため、従来の６点構成（係止ピン含む）のうち本体カバーと裏カバーを不要にすることができる。
【００４２】
〔３〕によれば、基体の第１開口部は長穴形状または四角形状の穴であることにより、押ボタンの姿勢が規制できるため、係止ピンとの係合を容易にすることができる。
〔４〕によれば、第３開口部は長穴形状または四角形状の穴であることにより、押ボタンの姿勢が規制できるため、係止ピンとの係合を容易にすることができる。
〔５〕によれば、押ボタンには、バネ部材を押ボタンの背面に収容する収容穴と、係止部を形成する係合穴とを備えたことにより、係止ピンと容易に係合することができる。このため、従来の受け入れ部材の中に係止部を設けたことになり、従来のケース本体を２点無くすことができるため、部品点数を減らし、組立工数を減らすと共に、クラスプの総質量を減らすことができる。
【００４３】
〔６〕によれば、開口部から臨む基体の内側面にバネ部材の座面となる窪みを設けたことによりバネ部材の位置決めができることから、バネ部材の位置を決めることが簡単であり、押ボタンとバネ部材との組み立て作業を容易にすることができる。
〔７〕によれば、係止ピンの先端の係合溝は、係止ピンの円周に沿って形成され、係合溝に係止部を容易に係合させることができるため、押ボタンと係止ピンとの組み立て作業を容易にすることができる。
【００４４】
〔８〕によれば、押ボタンと、この背面に設けられた収容穴にバネ部材を挿通してセットする第１工程と、第１開口部から押ボタンの中にバネ部材を押し込んだ状態で挿入し、バネ部材の一端を窪みに落とし込み、押ボタンの内側から付勢して開口部を押ボタンで覆う第２工程とを含むことにより、従来、４工程で行っていた組立方法を３工程で行うことができるため、組立工数を大幅に減らすことができる。
さらに、各部品の加工は、従来の汎用工作機械で加工が可能であるため、鋳造に比べて高精度での量産が可能である。このように、旋盤、フライス盤、およびプレスだけで製造が可能であり、小規模な町工場に大量に外注することができることにより、そのような産業の発展におおいに寄与することも可能である。
【００４５】
〔９〕によれば、押ボタンと、この背面に設けられた収容穴にバネ部材を挿通してセットする第１’工程と、第３開口部から、押ボタンの中にバネ部材を押し込んだ状態で挿入し、バネ部材の一端を窪みに落とし込み、押ボタンの内側から付勢して開口部を押ボタンで覆う第２’工程とを含むことにより、従来、４工程で行っていた組立方法を３工程で行うことができるため、組立工数を大幅に減らすことができる。
さらに、各部品の加工は、従来の汎用工作機械で加工が可能であるため、鋳造に比べて高精度での量産が可能である。このように、旋盤、フライス盤、およびプレスだけで製造
が可能であり、小規模な町工場に大量に外注することができることにより、そのような産業の発展におおいに寄与することも可能である。
【００４６】
以下、本発明に係る装身具１０１について、図面を参照して詳細に説明する。
図１１は本発明のクラスプの使用方法を示し、図１１（ａ）は、連珠玉を環状体にした装身具のネックレスの斜視図、図１１（ｂ）は連珠玉の途中にクラスプによって環状体を形成した装身具のネックレスの斜視図、図１１（ｃ）はペンダント用のクラスプとして使用したペンダントの斜視図である。
図１１（ａ）に示すように、ネックレスという装身具に使用したクラスプ１００の例である。この他に、ブレスレットやアンクレット等に使用できる。
図１１（ｂ）に示すように、ネックレスの装身具の被環状体を首のサイズに合わせて任意の長さに調整しながら環状体にするクラスプ１００の例である。
図１１（ｃ）に示すように、さらに、ペンダントの装身具に使用したクラスプ１００の例である。
【００４７】
〈第３実施の形態〉
図１２は第３実施の形態を示し、図１２（ａ）は図１１（ａ）に示すＡ部拡大図、図１２の（ｂ）は図１１（ｂ）に示すＢ部拡大図、図１２の（ｃ）は図１１（ｃ）に示すＣ部拡大図である。
図１２（ａ）に示すように、このネックレス１２１は、多数個の真珠（パール）１３１が糸１３２によって連結されて連珠玉になっている。その糸１３２の両端部にクラスプ１００が接続されている。また、基体１０１の後端に形成された係合ピン１０１ｅに糸１３２が巻き回されてクラスプ１００同士が係合し、環状体のネックレス１２１を形成している。図１２（ｂ）に示すように、このネックレス１２２は、糸１３２の一端にはクラスプ１００が接続され、もう一端にはペンダント１２２ａ（図１１（ｂ）参照）溺接続されている。そして、クラスプ１００が連珠玉の真珠１３１の問に係合して最適な環状体の大きさをアレンジメント（調整）している。
図１２（ｃ）に示すように、このペンダント１２３は、クラスプ１００の後端に設けられた穴に、例えば、金、銀等の貴金属製のチェーン３３が挿通され、このクラスプ１００には真珠１３１が接続されている。このように、ペンダント２３にも利用することができる。
以下、ネックレスを例にして説明する。
【００４８】
図１３は図１２（ｂ）に示す斜視図の拡大図である。図１３に示すように、真珠１３１、１３１…から構成された被環状体の一端にはクラスプ１００が接続されている。クラスプ１００の基体１０１の上面には上面開口部１０１ａが形成され、基体１０１の正面には押ボタン１０３が配置されている。この押ボタン１０３を押すことによって、係止部３ｃ（図１６参照）が移動し、アーム２の先端部の爪部１０２ａから離脱し、アーム１０２は第２バネの付勢力によって自動的に開放される。なお、クラスプ１００のサイズは１５×８×５ｍｍ以内の大きさであるが、これよりも大きくても構わない。また、基体１０１の材質はシルバーや１８金であるが、それ以外であってもよい。その上に金メッキ、ロジュームメッキが施されている。また、糸１３２の材質は、十分な強度を有するワイヤ、絹糸、ナイロン糸等であるが、それ以外であってもよい。
【００４９】
図１４は図１３に示すＤ−Ｄ線の横断面図である。図１４に示すように、真珠１３１から構成された被環状体の一端の糸１３２は、基体１０１の後端（図中左）に設けられた係合ピン１０１ｅに巻き回されて接続され、クラスプ１００の基体１０１が接続されている。この基体１０１の背面の内側には第１バネであるコイルバネ１０４の大きさ（直径）に合わせた窪み１０１ｃが形成されており、押ボタン１０３の正面の内側にも対向してコイルバネ１０４の大きさ（直径）に合わせた窪み１０３ｄが形成されている。押ボタン１０３はこのコイルバネ１０４によって付勢されながら配置されている。
【００５０】
図１５は図１３に示すＥ−Ｅ線の縦断面図である。図１５に示すように、基体１０１の上面には上面開口部１０１ａ、正面には正面開口部１０１ｂが設けられている。また、アーム１０２は基体１０１の先端部（図中右）に回動自在に軸支され、他端（図中左）に爪部１０２ａを備え、第２バネの付勢力に抗して閉鎖することによって基体１０１とアーム１０２によって輪を形成する。基体１０１とアーム１０２とはピン１０６によって回動自在に軸支されている。また、基体１０１とアーム１０２の内周面にはそれぞれ溝部１０１ｄ、溝部１０２ｂが形成され、第２バネであるねじりバネ（トーションバネともいう）１０５がこれらの溝部に装着されている。このねじりバネ１０５によって開放する方向にたえず付勢されており、この押ボタン１０３を押圧することによってアーム１０２の先端部の爪部１０２ａとの装着が解除、離脱してアーム１０２が自動的に開放される。
【００５１】
図１６は図１５に示す押ボタンであり、（ａ）は背面から見た斜視図、（ｂ）は正面から見た斜視図である。図１６の（ｂ）に示すように、押ボタン３は正面視ではひし形をしており、その上面には上面開口部１０３ａと、延設したひさし１０３ｆが設けられ、上面開口部１０３ａのひさし１０３ｆ側の一稜線には係止部１０３ｃが形成されている。また、図１６の（ａ）に示すように、背面には背面開口部１０３ｂが設けられ、第１バネであるコイルバネの位置を決める窪み３ｄが形成されている。さらに、押ボタン１０３の正面の上下端には抜け止め用の段差部１０３ｅ、１０３ｅが設けられており、基体１０１の正面開口部１０１ｂ（図１５参照）から外に抜け出ないようになっている。
【００５２】
ここで、クラスプ１００の動作について説明する。
図１１（ｂ）に示すように、首に回して配置してから、図１３に示すように、２点鎖線で示すアーム１０２の間に真珠１３１と真珠１３１の間を挟み（図１２（ｂ）参照）、アーム１０２を閉鎖して輪を形成すると、真珠１３１はこの輪を通り抜けられないため、位置が決まる。
図１７は図１５に示すＦ−Ｆ線の縦断面で示す工程図であり、図１７（ａ）はアームと押ボタンの係止部と係止した状態を示す状態図、（ｂ）は押ボタンが押圧された状態を示す状態図、（ｃ）はアームが係止部から離間した状態を示す状態図である。
図１７（ａ）に示すように、アーム１０２の爪部１０２ａは、押ボタン１０３の上面開口部１０３ａの一辺である係止部１０３ｃと、しっかりと係合している状態が分かる。
図１７．（ｂ）に示すように、押しボタン１０３が押圧されると、押ボタン１０３の係止部１０３ｃはコイルバネ１０４の付勢力に抗して図の左方向へ移動し、アーム１０２の爪部１０２ａとの係合が解除される。そして、図１７（ｃ）に示すように、アーム１０２が第２バネの付勢力によって係止部１０３ｃから上方へ自動的に離間し、連珠玉（真珠）１３１を開放した状態になる。
【００５３】
つぎに、本発明のクラスプ１００の組立方法について説明する。図１７に示すように、１）第１工程は、押ボタン１０３と、この背面開口部１０３ｂから押ボタン１０３の窪み１０３ｄに第１バネ（コイルバネ）４を挿通してセットする。
２）第２工程は、押ボタン１０３の中に第１バネ１０４を押し込んだ状態で、基体１０１の上面開口部１０１ａから挿入し、前記コイルバネ１０４の一端を窪み１０１ｃに落とし込み、前記押ボタン１０３の内側から付勢して正面開口部１０１ｂを覆う。
３）第３工程は、図１５に示すように、基体１０１の先端部にアーム１０２の一端を第２バネ（ねじりバネ）５を介してピン６を嵌入し回動自在に軸支する。
この結果、従来、クラスプの組立で使用していた火力などを使ってのろう付工程を不要とすることできるため、より簡単であり、より短い組立工数で組み付けることができる。さらに、片手操作により扱いが簡単であり、女性の指先の爪部を傷める恐れがなく、また、高齢者にも扱いが容易なクラスプを提供することができる。
【００５４】
〈第４実施の形態〉
図１８はもう１つのクラスプ１２０である第４実施の形態を示し、図１８（ａ）は図１１（ａ）に示すＡ部拡大図、図１８の（ｂ）は図１１（ｂ）に示すＢ部拡大図、図１８の（ｃ）は図１１（ｃ）に示すＣ部拡大図である。なお、第４実施の形態は、図１２にて説明した第３実施の形態の変形例であり、同じ箇所には、同一符号を付し、重複する説明は省略する。
図１８（ａ）に示すように、このネックレス１２１は、多数個の真珠１３１と、真珠１３１の糸通し穴に挿通された糸１３２と、この糸１３２の両端部にクラスプ２０が接続されている。
基体１０１の後端に設けられた係合ピン１０１ｅに糸１３２が接続され、クラスプ１００同士が係合して環状体を形成している。
図１８（ｂ）に示すように、このネックレス２２は、糸３２の一端にクラスプ１２０が設けられ、もう一端にはペンダント２２ａ（図１１（ｂ）参照）が接続され、クラスプ１２０が真珠１３１、１３１の間に係合して環状体を形成している。
図１８（ｃ）に示すように、このペンダント１２３は、クラスプ１２０に設けられた穴に貴金属製のチェーン１３３が挿通され、このクラスプ１００には真珠１３１が接続されている。
【００５５】
図１９は図１８（ｂ）に示す斜視図の拡大図であり、図１９（ａ）は斜視図、図１９（ｂ）はアームの動作を示す斜視図である。図１９に示すように、このクラスプ１２０は上面に押ボタン１１３が配置され、この押ボタン１３を押すことによってアーム１２の先端部の爪部１０２ａが離脱し、第４バネの付勢力によって自動的に開放される。
【００５６】
図２０は図１９（ａ）を縦断面した拡大図である。図２０に示すように、パール１３１から構成された被環状体の一端の糸３２は、基体１１１の後端に設けられた係合ピン１ｅに巻き付いて接続され、クラスプ２０の基体１１１が接続されている。クラスプ１２０の上面には上面開口部１１１ａが形成され、この闘口部１１１ａに押ボタン１１３が突設して配置されている。また、押しボタン１１３は、ピン６ａによって回動自在に軸支されている。
基体１１１と押ボタン１１３の内周面には第３バネであるねじりバネ１１４が装着されている。押ボタン１１３は、このねじりバネ１１４によって開放する方向にたえず付勢されおり、また、図２０（ｂ）に示すように、これ以上押ボタン１１３が突出しないように、押ボタン１３の一端に凸部１１３ｃを設け、基体１１１に当接するようになっている。
押しボタン１１３の上面には、アーム１１２の爪部１０２ａが係止する係合穴１１３ａが設けられている。この係合穴１３ａは長方形であるが、その他の形状であってもよい。この押ボタン１１３を押圧することによって押ボタン１１３の係合穴１１３ａは、ピン１０６ａを回動中心として半径ｒで回動する。なお、押ボタン１１３の係合穴１１３ａは、位置を中央から右端にずらし、切欠き形状に変形しても構わない。
【００５７】
アーム１２は、基体１１１の先端部（図中右）に回動自在に軸支され、他端（図中左）に爪部１０２ａを備え、閉鎖によって押ボタン１１３とアーム１１２と基体１１１によって輪を形成する。基体１１１とアーム１１２とはピン１０６ｂによって回動自在に軸支されている。
また、アーム１１２は、基体１１１とアーム１１２の内周面にはそれぞれ溝部１１１ｄ、溝部１１２ｂが形成され、第４バネであるねじりバネ１１５が装着されている。このねじりバネ１１５によって開放する方向にたえず付勢されおり、アーム１１２の爪部１１２ａはピン１０６ｂを回動中心として半径Ｒで回動する。半径Ｒと半径ｒの軌跡はちょうど交差しており、押ボタン１１３を押すことにより、半径Ｒの軌跡の外に外れるため、係合穴１１３ａからアーム１１２の爪部１１２ａが外れ、第４バネの付勢力によって自動的に開放される。
【００５８】
ここで、クラスプ１２０の動作について説明する。
図２０（ａ）、（ｂ）、（ｃ）は図１９（ａ）を縦断面図であり、図２０（ａ）はアームと押ボタンの係止した状態を示し、（ｂ）は押ボタンが押圧された状態を示し、（ｃ）はアームが係止部から離間した状態を示している。
図２０（ａ）に示すように、アーム１１２の爪部１１２ａは、押ボタン１１３の係止部１１３ｃとしっかりと係止している状態が分かる。
図２０（ｂ）に示すように、一度、軽く押ボタン１１３を押圧すると、半径ｒの軌跡で回動を行い、押ボタン１１３の係合穴１１３ａとの係合状態が解除され、図２０（ｃ）に示すように、第４バネの付勢力によってアーム１１２が自動的に開放される。
この結果、片手操作により扱いが簡単で、女性の指先の爪部を傷める恐れがなく、また、高齢者にも扱いが容易なクラスプを提供することができる。
【００５９】
（最も好ましい実施形態）
つぎに、本発明第３および第４実施形態に記載のクラスプ（基体、アーム、アーム先端部の爪部から構成されたクラスプ）における最も好ましい実施形態を図２１および図２２に基づいて説明する。
図２１（ａ）は、本発明のクラスプにおける着脱機構の要部を示す斜視図であり、図２１（ｂ）は、図２１（ａ）のクラスプにおける係止部付きの押しボタンを示す斜視図である。また、図２２（ａ）〜（ｃ）は、図２１（ａ）のＸ−Ｘ線における断面図であって、図２１に示すクラスプを装着する状態を示す。
【００６０】
この実施形態において、に示す通り、本発明のクラスプは、基体、爪部を有するアーム（係止部材に相当）から構成されたクラスプであって、前記基体には、本実施形態の着脱機構を備えている（図１１〜図２０参照）。
図２１（ａ）に示す通り、基体１０１には押しボタン２を挿入する開口部と係止部材である爪部を挿入するための開口部を有している。そして、基体１０１の押しボタンを挿入する側の開口部の臨む位置には窪みが形成されており、押しボタン１０３（の窪み１０１Ｃ）との間にコイルバネ１０４が装着される（図１４も参照）。
【００６１】
また、係止部を有する押しボタン１０３は、図２１（ｂ）に示す通り、内側に窪み１０３ｃを有する押しボタン１０３と、基体１０１の外側部分に配置されるコの字型の外側フレーム部１０３ｇと、基体１０１の押しボタン１０３側の開口部内面に接触する２本の並行なフレーム部１０３ｈ、１０３ｈと、押しボタン１０３の内部に所定の深さの第２の窪み１０３ｉとから構成されている。なお、コの字型のフレームの下側部分は、アームの挿入を案内するために所定の傾斜を有している（図２２参照）。
【００６２】
すなわち、図１４に示す実施形態が押しボタン１０３と一体成形された係止部において基体１０１の外側に配置される部分がひさし３ｆを有する窓状の形態であるのに対して、本実施形態では、コの字型のフレームである。また、本実施形態においては押しボタン１０３の内部に所定の深さの第２の窪み１０３ｉを設けて係止部を構成している。
【００６３】
このように構成された本実施形態のクラスプは、図２２（ａ）〜（ｃ）に示す通りに係止される。
まず、図２２（ａ）に示す通り、まずアーム１０２が挿入口である開口部側に向かい（下側矢印）、次いで図２２（ｂ）に示す通りコの字型のフレーム部１０３ｇに案内され下側に挿入されていく。この際に、コの字型のフレーム部１０３ｇは、アーム１０２に押されて右矢印方向に移動しながら更に基体１０１の内部に侵入する。
そして、図２２（ｃ）に示す通り、アーム１０２が深部まで挿入されるとコの字型のフレーム部１０３ｇと爪部１０２ａとが係合し、コの字型のフレーム部１０３ｇは左矢印方向にコイルバネにより押し戻されて、基体１０１とアーム１０２とが係合する。
この際に、アーム１０２は、基体１０１の挿入用開口部側（当接部に相当）の内側面とコの字型のフレーム部１０３ｇとに挿まれて固定される。
そのため、例えば押しボタン１０３の反対面から力が加わっても、基体１０１とアーム１０３とは、係止したままである。
【００６４】
以上、各実施の形態について説明したが、本発明は、前記した各実施の形態に限定され
ることなく、適宜変更して実施することができる。例えば、
１．被環状体は、連珠玉に限らず、その他の被環状体材であってもよい。
２．ネックレス、ブレスレット、アンクレット、ペンダント等の装身具のアレンジメント
を可能にする使用方法について、ネックレスを中心に説明したが、このほかの装身具であっても同様であり、その他の装身具に利用しても構わない。
３．図１５を基体１０１の正面とし、正面開口部１ｂを設けたとしたが、その正面開口部１ｂの
代わりに、基体１０１の背面に背面開口部を設けてもよいし、側面に側面開口部を設けてもよい。
４．押ボタン１０３の背面開口部１０３ｂに設けられた窪み１０３ｄの代わりに、第１バネを挿通する穴が形成されていても構わない。
５．基体１１１と押ボタン１１３の内周面との間に設けた第３バネ１１４は、コイルバネであってもよく、これ以外のバネであっても構わない。
６．図１４、図１５、図１８、図２０に示すように、基体１０１の係合ピン１０１ｅには直接、糸１３２を巻きつけているが、丸環を介して接続しても構わない。
【００６５】
また、本発明のクラスプは、下記態様に関する。
〔１〕  被環状体の一端、または、両端に接続され、上面に上面開口部（１０１ａ）、正面に正面開口部（１０１ｂ）を設けた基体（１０１）と、前記基体（１０１）の先端部に回動自在に軸支され、後端部に爪部（１０２ａ）を備え、閉鎖することによって輪を形成するアーム（１０２）と、前記基体（１０１）の上面開口部（１０１ａ）に埋設され、前記アーム（１０２）の爪部（１０２ａ）と係合する押ボタン（１０３）と、前記押ボタン（１０３）が外に飛び出す方向へ付勢させる第１バネ（１０４）と、前記アーム（１０２）が開口する方向へ付勢する第２バネ（１０５）と、を備えたことを特徴とするクラスプ（１１０）。
【００６６】
〔２〕  〔１〕に記載のクラスプ（１１０）であって、前記基体（１０１）の正面開口部（１０１ｂ）から望む内側面に窪み（１０１ｃ）を設けたことを特徴とする。
〔３〕  〔１〕に記載のクラスプ（１１０）であって、前記押ボタン（１０３）の上面には上面開口部（１０３ａ）と、背面には背面開口部（１０３ｂ）と、正面には段差部（１０３ｅ）とを設け、前記上面開口部（１０３ａ）の一辺を係止部（１０３ｃ）としたことを特徴とする。
【００６７】
〔４〕  前記被環状体の一端に接続された基体（１０１）と、前記基体（１０１）に回動自在に軸支され、他端に爪部（１０２ａ）を備え、開口によって開放し、閉鎖によって輪を形成するアーム（１０２）と、前記アームの爪部（１０２ａ）と係合し上面開口部（１０１ａ）に埋設された押ボタン（１０３）と、前記押ボタン（１０３）が外に飛び出す方向へ付勢する第１バネ（１０４）と、前記アーム２が開口する方向へ付勢させる第２バネ（１０５）とを備え、前記基体（１０１）の正面開口部（１０１ｂ）から望む内側面に窪み（１０１ｃ）を設け、さらに、前記押ボタン（１０３）の上面には上面開口部（３ａ）と、背面には背面開口部（１０３ｂ）と、正面には段差部（１０３ｅ）とを設け、前記上面開口部（１０３ａ）の一辺を係止部（１０３ｃ）としたクラスプ（１００）の組立方法であって、前記押ボタン（１０３）と、この背面開口部（１０３ｂ）から第１バネ（１０４）を挿通してセットする第１工程と、前記押ボタン（１０３）の中に第１バネ（１０４）を押し込んだ状態で、前記基体（１０１）の上面開口部（１０１ａ）から挿入し、前記第１バネ（１０４）の一端を前記窪み（１０１ｃ）に落とし込み、前記押ボタン（１０３）の内側から付勢して正面開口部（１０１ｂ）を覆う第２工程と、前記基体（１０１）の先端部に接続され、アーム（１０２）の一端に前記第２バネ（１０５）を介してピン（１０６）を嵌入し回動自在に軸支する第３工程と、を含むことを特徴とする。
【００６８】
〔５〕  被環状体の一端、または、両端に接続され、上面に上面開口部（１１１ａ）を設けた基体（１１１）と、前記基体（１１１）の先端部に回動自在に軸支され、他端に爪部（１１２ａ）を備え、閉鎖することによって輪を形成するアーム（１１２）と、前記基体（１１１）の上面開口部（１１１ａ）に突設され、前記基体（１１１）の中央部に回動自在に軸支され、前記アーム（１１２）の爪部（１１２ａ）と係合する係合穴（１１３ａ）を設けた押ボタン（１１３）と、前記押ボタン（１１３）が外に飛び出す方向へ付勢させる第３バネ（１１４）と、前記アーム（１１２）が開口する方向へ付勢する第４バネ（１１５）と、を備えたことを特徴とする。
【００６９】
〔１〕によれば、被環状体の一端、または、両端に接続され、上面に上面開口部、正面に正面開口部を設けた基体と、基体の先端部に回動自在に軸支され、後端部に爪部を備え、閉鎖することによって輪を形成するアームと、基体の上面開口部に埋設され、アームの爪部と係合する押ボタンと、押ボタンが外に飛び出す方向へ付勢する第１バネと、アームが開口する方向へ付勢する第２バネとを備えたことにより、片手操作（親指と人指し指）でできるため、両手の指先の干渉がなくなり、女性の指先の爪部を傷める恐れがない。また、片手操作で、しかも、ワンタッチにより、着脱が可能になったため、高齢者にも扱いが容易なクラスプを提供することができる。
【００７０】
〔２〕によれば、基体の正面開口部から望む内側面に窪みを設けたことにより、第１バネの位置を簡単に決めることができるため、押ボタンとコイルバネとの組み立てを容易にすることができる。
〔３〕  によれば、押ボタンの上面には上面開口部と、背面には背面開口部と、正面には段差部とを設け、前記上面開口部の一辺を係止部としたことにより、アームとの係脱を確実にすることができる。
【００７１】
〔４〕によれば、押ボタンと、この正面開口部へ第１バネを挿通してセットする第１工程と、押ボタン３の中に第１バネ４を押し込んだ状態で、基体１０１の上面開口部１０１ａから挿入し、第１バネの一端を窪みに落とし込み、押ボタンの内側から付勢して正面開口部を覆う第２工程と、基体の先端部にアームの一端に第２バネを介してピンを嵌入し回動自在に軸支する第３工程と、を含むクラスプの組立方法によって、従来のクラスプの組立方法よりも簡単であるため、短い組立工数で組み付けることができる。
【００７２】
〔５〕によれば、被環状体の一端、または、両端に接続され、上面に上面開口部、側面に正面開口部を設けた基体と、基体の先端部に回動自在に軸支され、他端に爪部を備え、閉鎖することによって輪を形成するアームと、基体の上面開口部に突設され、基体の中央部に回動自在に軸支され、アームの爪部と係合する係合穴を設けた押ボタンと、押ボタンが外に飛び出す方向へ付勢する第３バネと、アームが開口する方向へ付勢する第４バネとを備えたことにより、片手操作（親指と人指し指）でできるため、両手の指先の干渉がなくなり、女性の指先の爪部を傷める恐れがない。また、片手操作で、しかも、ワンタッチにより、着脱が可能になったため、高齢者にも扱いが容易なクラスプを提供することができる。
【００７３】
さらに、本発明は、前記係止部の先端側と、前記基体の開口部の内面とで、前記係止部材が挿入された際に、前記係止部材を挿み込んで固定するという技術的思想に立脚されたものであり、係止部材と押しボタンと一体成形された係止部との係止関係に加えて前記係止部の先端側と、前記基体の開口部の内面とで、前記係止部材が挿入された際に、前記係止部材を挿み込む構造のクラスプは本発明の範囲内である。すなわち、挿入途中に開口部に当接し、更に挿入して係止部と係止部材とが係止関係となった際に、係止部と当接部により係止部材を挟み込む（押さえ込む）形状で係止するクラスプは本発明の範囲内である。
【図面の簡単な説明】
【００７４】
【図１】本発明のクラスプを使用した装身具を示し、（ａ）はネックレスを装着した斜視図、（ｂ）はペンダントを装着した斜視図である。
【図２】図１の要部拡大図であり、（ａ）は図１（ａ）に示すＡ部の平面図、（ｂ）は図１（ａ）に示すＡ部の正面図である。
【図３】図２（ｂ）に示す正面図の縦断面図であり、（ａ）は押ボタンの係止部と係止ピンとの係合状態を示す状態図、（ｂ）は押ボタン溺押圧された状態を示す状態図、（ｃ）は係止ピンが係止部から離間した状態を示す状態図である。
【図４】（ａ）は図３（ａ）に示すＢ−Ｂ線の断面図、（ｂ）は図３（ａ）に示すＣ−Ｃ線の断面図、（ｃ）は図３の（ａ）に示すＤ−Ｄ線の断面図、（ｄ）は図３の（ａ）に示すＥ−Ｅ線の断面図である。
【図５】図３（ａ）に示す押ボタンの形状を示し、（ａ）は左斜視図、（ｂ）は右斜視図である。
【図６】図３（ａ）に示す押ボタン２の他の形態を示す斜視図である。
【図７】第２の実施形態に係るクラスプの縦断面図である。
【図８】本発明のクラスプの最良の形態を示す斜視図であり、（ａ）は、全体斜視図であり、（ｂ）は、押しボタンに一体形成された係止部のうち基体からはみ出した部分を切断した斜視図である。
【図９】（ａ）〜（ｅ）は、図８に示すクラスプの装着状態を示す図面である。
【図１０】図８に示すクラスプの応用例を示す図面である。
【図１１】本発明のクラスプの使用方法を示し、（ａ）は、連珠玉を環状体にした装身具の斜視図、（ｂ）は連珠玉の途中にクラスプによって環状体を形成した装身具の斜視図、（ｃ）はペンダント用のクラスプとして使用したペンダントの斜視図である。
【図１２】第３実施の形態を示し、（ａ）は図１１（ａ）に示すＡ部拡大図、（ｂ）は図１１（ｂ）に示すＢ部拡大図、（ｃ）は図１１（ｃ）に示すＣ部拡大図である。
【図１３】図１２の（ｂ）に示す斜視図の拡大図である。
【図１４】図１３に示すＤ−Ｄ線の横断面図である。
【図１５】図１３に示すＥ−Ｅ線の縦断面図である。
【図１６】図１５に示す押ボタンであり、（ａ）は背面から見た斜視図、（ｂ）は正面から見た斜視図である。
【図１７】図１５に示すＦ−Ｆ線の縦断面図であり、（ａ）はアームと押ボタンの係止部と係止した状態を示し、（ｂ）は押ボタンカミ押圧された状態を示し、（ｃ）はアームが係止部から離間した状態を示す。
【図１８】第４実施の形態を示し、（ａ）は図１１（ａ）に示すＡ部拡大図、（ｂ）は図１１（ｂ）に示すＢ部拡大図、（ｃ）は図１１（ｃ）に示すＣ部拡大図である。
【図１９】図１８の（ｂ）に示す斜視図の拡大図であり、（ａ）は斜視図、（ｂ）はアームの動作を示す斜視図である。
【図２０】図１９の（ａ）を縦断面図であり、（ａ）はアームと押ボタンの係止した状態を示し、（ｂ）は押ボタンが押圧された状態を示し、（ｃ）はアームカ弐係止部から離澗した状態を示す。
【図２１】（ａ）は、本発明のクラスプにおける着脱機構の要部を示す斜視図であり、（ｂ）は、（ａ）のクラスプにおける係止部付きの押しボタンを示す斜視図である。
【図２２】（ａ）〜（ｃ）は、図２１（ａ）のＸ−Ｘ線における断面図であって、図２１に示すクラスプを装着する状態を示す。
【図２３】従来のクラスプを示す図面である。
【符号の説明】
【００７５】
１，１’、１０１，１１１基体
１ａ、１ａ’，１ｂ，１ｂ’，１ｃ，１ｃ’，１０１ａ，１１１ａ，１０１ｂ，１１１ｂ開口部
１ｄ，１ｄ’，１０１ｃ  窪み
１０１ｄ，１１１ｄ  溝部
２，１０３押しボタン
３，１０４  コイルバネ
１０２，１１２アーム
１０２ａ，１１２ａ爪部
１０２ｂ，１１２ｂ  溝部
【図１】
2007160083.tif 000003
【図２】
2007160083.tif 000004
【図３】
2007160083.tif 000005
【図４】
2007160083.tif 000006
【図５】
2007160083.tif 000007
【図６】
2007160083.tif 000008
【図７】
2007160083.tif 000009
【図８】
2007160083.tif 000010
【図９】
2007160083.tif 000011
【図１０】
2007160083.tif 000012
【図１１】
2007160083.tif 000013
【図１２】
2007160083.tif 000014
【図１３】
2007160083.tif 000015
【図１４】
2007160083.tif 000016
【図１５】
2007160083.tif 000017
【図１６】
2007160083.tif 000018
【図１７】
2007160083.tif 000019
【図１８】
2007160083.tif 000020
【図１９】
2007160083.tif 000021
【図２０】
2007160083.tif 000022
【図２１】
2007160083.tif 000023
【図２２】
2007160083.tif 000024
【図２３】
2007160083.tif 000025